(57)【要約】【課題】ロックモード設定中もカメラの操作を可能にすること。【解決手段】制御装置１０４は、所有者からの指示に基づいてカメラ１００のモードをロックモードに切り替える。そして、制御装置１０４は、ロックモードに設定されている間は、使用者による操作部材１０１の操作内容がカメラ１００の設定変更を指示するための操作である場合には、操作の内容に応じてモニタ１０６の表示内容を変更して見かけ上は設定変更を受け付ける一方で、カメラの設定変更を停止する。【選択図】図１
2010062714.tif 000002
【特許請求の範囲】
【請求項１】
使用者による指示に基づいて、カメラのモードをカメラの動作を制限するための所定のモードに設定するモード設定手段と、
カメラのモードが前記所定のモードに設定されている間は、使用者による操作部材の操作に応じて表示部材の表示を変更する一方、使用者による前記操作部材の操作がカメラの設定変更を指示する操作である場合には、カメラの設定変更を禁止する動作制御手段とを備えることを特徴とするカメラ。
【請求項２】
使用者による指示に基づいて、カメラのモードをカメラの動作を制限するための所定のモードに設定するモード設定手段と、
カメラのモードが前記所定のモードに設定されている間は、使用者による操作部材の操作に基づいて表示部材の表示、およびカメラの設定を変更する動作制御手段と、
前記所定のモードの解除時に、カメラの設定を前記所定のモード設定前の設定に戻す設定復元手段とを備えることを特徴とするカメラ。
【請求項３】
使用者によって操作される操作部材と、
使用者による前記操作部材の操作に基づいて、カメラのモードをカメラの動作を制限するための所定のモードに設定するモード設定手段と、
使用者によって前記操作部材が操作されたときに、その操作に応じて表示部材の表示を変更する表示制御手段と、
使用者によって前記操作部材が操作されてカメラの設定変更が指示された場合に、カメラの設定を変更する設定変更制御手段と、
前記モード設定手段によってカメラのモードが前記所定のモードに設定された場合には、前記表示制御手段による制御を許可する一方、前記設定変更制御手段による制御は禁止する動作制御手段とを備えることを特徴とするカメラ。
【請求項４】
請求項１〜３のいずれか一項に記載のカメラにおいて、
前記所定のモードの解除時に前記表示部材の表示を前記所定のモード設定前の表示に戻す表示復元手段をさらに備えることを特徴とするカメラ。
【請求項５】
請求項１〜４のいずれか一項に記載のカメラにおいて、
カメラのモードが前記所定のモードに設定されている間は、撮影を禁止する撮影制御手段をさらに備えることを特徴とするカメラ。
【請求項６】
請求項１〜４のいずれか一項に記載のカメラにおいて、
カメラのモードが前記所定のモードに設定されている間に撮影が行われた場合には、撮影により生成した画像ファイルの記憶媒体への記録を禁止する撮影制御手段をさらに備えることを特徴とするカメラ。
【請求項７】
請求項５または６に記載のカメラにおいて、
カメラのモードが前記所定のモードに設定されている間は、前記記憶媒体に記録されている画像ファイルの削除を禁止する削除制御手段をさらに備えることを特徴とするカメラ。
【請求項８】
請求項１〜４のいずれか一項に記載のカメラにおいて、
カメラのモードが前記所定のモードに設定されている間に撮影が行われた場合には、撮影により生成した画像ファイルの記憶媒体への記録数をあらかじめ設定された数以下に制限する撮影制御手段をさらに備えることを特徴とするカメラ。
【請求項９】
請求項８に記載のカメラにおいて、
前記撮影制御手段は、前記記憶媒体内に前記所定のモード設定中に生成した画像ファイルを記録するための専用領域を設け、前記所定のモード設定中に撮影が行われた場合には、撮影により生成した画像ファイルを前記専用領域内に記録することを特徴とするカメラ。
【請求項１０】
請求項８または９に記載のカメラにおいて、
カメラのモードが前記所定のモードに設定されている間は、前記記憶媒体に記録されている画像ファイルのうち、前記所定のモード設定中に記録された画像ファイルの削除を許可し、それ以外の画像ファイルの削除を禁止する削除制御手段をさらに備えることを特徴とするカメラ。
【発明の詳細な説明】
【技術分野】
【０００１】
本発明は、カメラに関する。
【背景技術】
【０００２】
次のような電子カメラが知られている。この電子カメラは、ロック機能によりカメラの動作を禁止することができる（例えば、特許文献１）。
【０００３】
【特許文献１】特開２００２−７７７００号公報
【発明の開示】
【発明が解決しようとする課題】
【０００４】
しかしながら、従来の電子カメラでは、カメラの所有者は、第三者にカメラの設定を変更されたくない場合には、カメラをロック状態にする必要があった。この場合、カメラを借り受けた第三者は、カメラの操作を行うことができず、カメラの操作感、使用感を試すことができなかった。
【課題を解決するための手段】
【０００５】
本発明によるカメラは、使用者による指示に基づいて、カメラのモードをカメラの動作を制限するための所定のモードに設定し、カメラのモードが所定のモードに設定されている間は、使用者による操作部材の操作に応じて表示部材の表示を変更する一方、使用者による操作部材の操作がカメラの設定変更を指示する操作である場合には、カメラの設定変更を禁止することを特徴とする。
本発明によるカメラはまた、使用者による指示に基づいて、カメラのモードをカメラの動作を制限するための所定のモードに設定し、カメラのモードが所定のモードに設定されている間は、使用者による操作部材の操作に基づいて表示部材の表示、およびカメラの設定を変更し、所定のモードの終了時に、カメラの設定を所定のモード設定前の設定内容に戻すことを特徴とする。
本発明によるカメラはまた、使用者による操作部材の操作に基づいて、カメラのモードをカメラの動作を制限するための所定のモードに設定し、使用者によって操作部材が操作されたときに、その操作に応じて表示部材の表示を変更し、使用者によって操作部材が操作されてカメラの設定変更が指示された場合に、カメラの設定を変更し、カメラのモードが所定のモードに設定された場合には、表示部材の表示の変更を許可する一方、カメラの設定の変更を禁止することを特徴とする。
本発明では、所定のモードの終了時に表示部材の表示を所定のモード設定前の表示に戻すようにしてもよい。
カメラのモードが所定のモードに設定されている間は、撮影を禁止するようにしてもよいし、カメラのモードが所定のモードに設定されている間に撮影が行われた場合には、撮影により生成した画像ファイルの記憶媒体への記録を禁止するようにしてもよい。この場合は、カメラのモードが所定のモードに設定されている間は、記憶媒体に記録されている画像ファイルの削除を禁止することが好ましい。
カメラのモードが所定のモードに設定されている間に撮影が行われた場合には、撮影により生成した画像ファイルの記憶媒体への記録数をあらかじめ設定された数以下に制限するようにしてもよく、記憶媒体内に所定のモード設定中に生成した画像ファイルを記録するための専用領域を設け、所定のモード設定中に撮影が行われた場合には、撮影により生成した画像ファイルを専用領域内に記録するようにしてもよい。この場合は、カメラのモードが所定のモードに設定されている間は、記憶媒体に記録されている画像ファイルのうち、所定のモード設定中に記録された画像ファイルの削除を許可し、それ以外の画像ファイルの削除を禁止することが好ましい。
【発明の効果】
【０００６】
本発明によれば、カメラをロック状態にしてもカメラを操作することができ、第三者は、カメラの操作感、使用感を試すことができる。
【発明を実施するための最良の形態】
【０００７】
―第１の実施の形態―
図１は、第１の実施の形態におけるカメラの一実施の形態の構成を示すブロック図である。カメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の操作ボタンを含んでいる。例えば、操作部材１０１には、電源ボタン、レリーズボタン、ズームボタン、十字ボタン、決定ボタン、再生ボタン、削除ボタン、およびロック設定／解除ボタンなどを含んでいる。
【０００８】
レンズ１０２は、複数の光学レンズから構成されるが、図１では代表して１枚のレンズで表している。撮像素子１０３は、例えばＣＣＤやＣＭＯＳなどのイメージセンサーであり、レンズ１０２により結像した被写体像を撮像する。そして、撮像によって得られた画像信号を制御装置１０４へ出力する。
【０００９】
制御装置１０４は、撮像素子１０３から入力された画像信号に基づいて所定の画像形式、例えばＪＰＥＧ形式の画像データ（以下、「本画像データ」と呼ぶ）を生成する。また、制御装置１０４は、生成した画像データに基づいて、表示用の画像データ、例えばサムネイル画像データを生成する。制御装置１０４は、生成した本画像データとサムネイル画像データとを含み、さらにヘッダ情報を付加した画像ファイルを生成してメモリカードスロット１０５へ出力する。
【００１０】
メモリカードスロット１０５は、記憶媒体としてのメモリカードを挿入するためのスロットであり、制御装置１０４から出力された画像ファイルをメモリカードに書き込んで記録する。また、メモリカードスロット１０５は、制御装置１０４からの指示に基づいて、メモリカード内に記憶されている画像ファイルを読み込む。
【００１１】
モニタ１０６は、カメラ１００の背面に搭載された液晶モニタ（背面モニタ）や、カメラ１００の上面に搭載された液晶モニタ（上面モニタ）を含む。背面モニタには、メモリカードに記憶されている画像やカメラ１００を設定するための設定メニューなどが表示される。また、上面モニタには、絞り、シャッタースピードなどの撮影情報が表示される。
【００１２】
制御装置１０４は、ＣＰＵ、メモリ、およびその他の周辺回路により構成され、カメラ１００を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１３】
本実施の形態におけるカメラ１００では、カメラ１００の所有者は、操作部材１０１に含まれるロック設定／解除ボタンを操作することにより、カメラ１００のモードをカメラ１００の動作を制限するためのロックモードに移行させることができる。ロックモードとしては、例えば、カメラ１００の使用者が友人にカメラ１００を貸す場合に、カメラ１００の設定がむやみに変更されることを防ぐために制限をかけるためのロックモードや、子供によるカメラ１００の誤操作を防止したり、子供が勝手にカメラ１００の設定を変更してしまうことを防止するためのチャイルドロックモード等が考えられる。
【００１４】
カメラ１００の所有者は、カメラ１００のモードがロックモードに設定されている場合には、ロック設定／解除ボタンを再度押下することにより、ロックモードを解除して通常モードに戻すことができる。このとき、ロックモードの解除を誰でも行うことができるとするのは問題があるため、制御装置１０４は、ロックモード設定時にロック設定／解除ボタンが押下された場合には、背面モニタにパスワード入力欄を含むパスワード入力画面を表示して、使用者にパスワードの入力を求める。そして、制御装置１０４は、パスワード入力欄にあらかじめ設定されている正しいパスワードが入力された場合に限り、ロックモードを解除して通常モードに戻す。
【００１５】
一般的に、カメラ１００の所有者は、上述したように、子供や友人などの第三者にカメラ１００を貸す際にカメラ１００をロック状態にしてから貸すことが考えられる。しかしながら、ロックモードに設定することによって、操作部材１０１の操作を一切受け付けないようにして、カメラ１００の動作を完全に禁止してしまうと、カメラ１００を借り受けた第三者は、カメラ１００の使用感、操作感を試すことができない。よって、本実施の形態では、このような不都合を解消するために、制御装置１０４は、カメラ１００のモードがロックモードに設定された場合には、以下のように制御を行う。
【００１６】
なお、必ずしも通常モード時の使用者がカメラ１００の所有者で、ロックモード設定時の使用者が所有者からみた第三者であるとは限らないが、以下の説明では、説明の簡略化のために、通常モード時の使用者を所有者と呼んで、ロックモード設定時の第三者である使用者と区別する。
【００１７】
制御装置１０４は、カメラ１００のモードがロックモードに設定されている間は、操作部材１０１に含まれる操作ボタンが操作されたときに、カメラ１００を見かけ上は通常モードと同様に動作させる。しかし、操作ボタンの操作がカメラ１００の設定変更を伴う操作である場合、例えば、使用者によって記録画像サイズの変更、画質の変更、撮影条件の設定変更等を行うための操作がされた場合には、見た目上はその操作を受け付ける一方、実際には設定の変更結果をカメラ１００に反映させない。
【００１８】
具体的には、制御装置１０４は、ロックモード設定時に使用者によってカメラ１００の設定変更を伴う操作が行われた場合には、背面モニタや上面モニタ等への表示内容は、上記設定変更操作に伴って変更する。例えば、メニューボタンの押下に応じて背面モニタにメニュー画面を表示させたり、十字ボタンの操作に応じてメニュー項目の選択状態を示すカーソルを移動させたりする。あるいは、メニュー画面上でいずれかのメニュー項目の選択を受け付け、カメラ１００の設定変更画面を表示し、設定変更画面上での設定内容の変更を受け付ける。
【００１９】
しかしながら、制御装置１０４は、上記の種々の操作を受け付けた場合でも、それを実際の設定内容には反映しないようにする。すなわち、ロックモード設定時には、使用者による設定変更を見かけ上は受け付けるが、実際には、カメラ１００の設定内容は変更せずにそれまでの設定内容を維持する。例えば、シャッタースピードの設定値が変更された場合には、設定画面上における設定値は変更して、見かけ上は設定変更を受け付けたように見せるが、実際にカメラ１００のシャッタースピードの変更は行わない。これによって、所有者は、カメラ１００の設定が変更されることを防止した上で、第三者に使用感や操作感を試す機会を与えることができる。
【００２０】
また、制御装置１０４は、カメラ１００のモードがロックモードに設定されているときに、操作部材１０１に含まれるレリーズボタンが操作されて撮影が行われた場合には、レリーズ操作を受け付けて撮影を行うが、ロックモード設定時における撮影には、以下のような制限を設ける。
【００２１】
具体的には、制御装置１０４は、ロックモード設定時の撮影処理によって生成された画像ファイルを記録するための専用のフォルダをメモリカード内に作成しておく。そして、制御装置１０４は、ロックモード設定時に撮影が行われたことにより画像ファイルを生成した場合には、生成した画像ファイルを上記専用フォルダ内に記録する。これによって、ロックモード設定時に取得した画像ファイルを通常モード時に取得した画像ファイルと区別して記録することができる。
【００２２】
なお、制御装置１０４は、ロックモードに設定されたときに、メモリカード内に上記専用フォルダが存在するか否かを確認し、存在しない場合には、メモリカード内に専用フォルダを作成する。そして、ロックモードの終了が指示された場合には、上記専用フォルダとその中の画像ファイルとをそのまま残しておいてもよいし、専用フォルダごと削除するようにしてもよい。ロックモード終了時に専用フォルダを残すか、削除するかは、カメラ１００の仕様としてあらかじめ設定されていてもよいし、所有者が任意に選択できるようにしてもよい。
【００２３】
また、制御装置１０４は、上記専用フォルダ内に記録することができる画像ファイルの数を制限する。例えば、所有者は、通常モード時にロックモード設定時の撮影可能枚数を設定することができ、制御装置１０４は、上記専用フォルダ内に記録することができる画像ファイルの数を、設定された撮影可能枚数に制限する。
【００２４】
例えば、制御装置１０４は、撮影された画像の枚数が、設定された撮影可能枚数に到達した場合には、それ以降に取得した画像ファイルは記録しないようにしてもよいし、次に撮影が行われたときに、撮影日時が最も古い画像ファイルを削除して、新たに取得した画像ファイルを記録するようにしてもよい。これによって、ロックモード設定時に多くの画像ファイルがメモリカードに記録され、メモリカードの記憶容量を圧迫してしまうという問題の発生を防止することができる。
【００２５】
なお、所有者は、画像の設定可能枚数を０に設定すれば、ロックモード設定中は画像ファイルの記録を禁止することができる。制御装置１０４は、画像の設定可能枚数を０に設定されている場合には、ロックモード設定中にはレリーズボタンを無効して使用者が画像の撮影をできないようにしてもよいし、あるいはレリーズボタンを有効にしてレリーズ操作は受け付けるが、撮影結果を背面モニタに表示するのみで画像ファイルの生成およびメモリカードへの画像ファイルの記録は行わないようにしてもよい。
【００２６】
ロックモード設定時は、使用者が操作部材１０１に含まれる再生ボタンを押下して画像の再生を行ったり、削除ボタンを押下して画像の削除を行ったりすることも考えられる。このような場合には、制御装置１０４は、上記専用フォルダ内に記録されている画像ファイルのみを対処として、画像の再生や削除を受け付けるようにする。すなわち、使用者によって再生ボタンが押下されて画像の再生が指示された場合には、制御装置１０４は、メモリカード内の上記専用フォルダ内に記録されている画像ファイル内からサムネイル画像データを読み出した背面モニタに表示することにより画像の再生を行う。これによって、第三者が無断で所有者が撮影した画像を閲覧することを防ぐことができる。
【００２７】
また、制御装置１０４は、画像の再生中に使用者によって削除ボタンが押下されて、特定の画像の削除が指示された場合には、その画像に対応する画像ファイルを上記専用フォルダ内から削除する。あるいは、使用者によってメモリカードの初期化（フォーマット）が指示された場合には、メモリカードのフォーマットは行わずに、上記専用フォルダ内の画像ファイルを全て削除することにより、見かけ上のフォーマットを行う。これによって、第三者が所有者が撮影した画像を誤って削除してしまうことを防ぐことができる。
【００２８】
さらに、所有者は、通常モード時に、ロックモード設定時に撮影が行われた場合に、フラッシュの発光を許可するか否かを設定することができる。そして、制御装置１０４は、ロックモード設定時に撮影が行われた場合には、フラッシュ発光可否の設定内容に応じて、フラッシュの発光を行うか否かを判定するようにする。
【００２９】
例えば、フラッシュを発光するためにはバッテリーを多く消費することから、所有者は、バッテリーの持ちを考慮して、ロックモード設定時にはフラッシュの発光を禁止することができる。このようにフラッシュの発光が禁止されている場合には、制御装置１０４は、ロックモード設定時に暗所で撮影が行われた場合でもフラッシュの発光を行わない。
【００３０】
制御装置１０４は、上述したように、所有者によって正しいパスワードが入力されたことにより、ロックモードを解除して通常モードに戻す場合には、ロックモード設定中に見かけ上受け付けた設定変更を全てキャンセルして、ロックモード設定前の状態に戻す。例えば、背面モニタや上面モニタの表示内容がロックモード設定中の使用者による操作によって変更されている場合には、これをロックモード設定前の状態に戻す。また、ロックモード設定中における使用者のメニュー操作によって、メニュー項目内の設定内容が見かけ上変更されている場合にも、これをロックモード設定前の状態に戻す。
【００３１】
このために、本実施の形態では、制御装置１０４は、所有者によってカメラ１００のモードがロックモードに変更されたときに、モードを変更するのに先立って、そのときのモニタ１０６の表示内容や種々の設定情報をデータ化してフラッシュメモリ内に退避しておく。そして、制御装置１０４は、所有者によってロックモードが解除された場合には、フラッシュメモリに退避しておいたデータを読み出して、現在の設定値を退避データに基づく設定値に置き換える。
【００３２】
図２は、第１の実施の形態におけるカメラ１００の処理を示すフローチャートである。図２に示す処理は、所有者によって操作部材１０１に含まれるロック設定／解除ボタンが押下されることにより、カメラ１００のモードのロックモードへの変更が指示されると起動するプログラムとして、制御装置１０４によって実行される。
【００３３】
ステップＳ１０において、制御装置１０４は、上述したように、ロックモード移行前のモニタ１０６の表示内容や種々の設定情報をデータ化してフラッシュメモリ内に退避する。その後、ステップＳ２０へ進み、制御装置１０４は、カメラ１００のモードをロックモードに変更して、ステップＳ３０へ進む。
【００３４】
ステップＳ３０では、制御装置１０４は、ロックモード設定時の処理を実行する。すなわち、上述したように、制御装置１０４は、ロックモードが解除されるまでの間、使用者による操作部材１０１の操作は受け付けるが、操作内容がカメラ１００の設定変更を伴うものである場合には、見かけ上は操作を受け付け、実際にはカメラ１００の設定を変更しない。また、撮影による画像ファイルの保存先をロックモード用に作成した専用フォルダ内に限定し、再生画像、削除画像、およびフォーマットの対象を上記専用フォルダ内の画像ファイルに限定する。また、専用フォルダへの記録可能枚数や撮影時のフラッシュ発光の可否は、所有者による設定内容に従う。その後、ステップＳ４０へ進む。
【００３５】
ステップＳ４０では、制御装置１０４は、所有者による指示に基づいて、ロックモードの解除が指示されたか否かを判断する。ステップＳ４０で否定判断した場合には、ステップＳ３０に戻って処理を繰り返す。これに対して、ステップＳ４０で肯定判断した場合には、ステップＳ５０へ進む。ステップＳ５０では、制御装置１０４は、ロックモードへの移行前にフラッシュメモリに退避しておいたデータを読み出して、現在の設定値を退避データに基づく設定値に置き換えることによって、ロックモード設定中の見かけ上の変更をキャンセルして、処理を終了する。
【００３６】
以上説明した第１の実施の形態によれば、以下のような作用効果を得ることができる。
（１）制御装置１０４は、所有者からの指示に基づいてカメラ１００のモードをロックモードに設定する。そして、制御装置１０４は、ロックモードに設定されている間は、使用者による操作部材１０１の操作に応じてモニタ１０６の表示を変更する一方、使用者による操作部材１０１の操作がカメラ１００の設定変更を指示する操作である場合には、カメラ１００の設定変更を禁止するようにした。これによって、所有者は、カメラ１００の設定が変更されることを防止した上で、第三者に使用感や操作感を試す機会を与えることができる。
【００３７】
（２）制御装置１０４は、ロックモードの終了時にモニタ１０６の表示をロックモード設定前の表示に戻すようにした。これによって、所有者は、ロックモード設定中に表示が変更された場合であっても、ロックモードを解除後は、ロックモード設定前の表示状態でカメラ１００を使用することができる。
【００３８】
（３）制御装置１０４は、カメラ１００のモードがロックモードに設定されている間に撮影が行われた場合には、撮影により生成した画像ファイルのメモリカードへの記録数をあらかじめ設定された数以下に制限するようにした。これによってロックモード設定時に多くの画像ファイルがメモリカードに記録されることにより、メモリカードの記憶容量が圧迫されることを防ぐことができる。
【００３９】
（４）制御装置１０４は、メモリカード内にロックモード設定中に生成した画像ファイルを記録するための専用フォルダを設け、ロックモード設定中に撮影が行われた場合には、生成した画像ファイルを当該専用フォルダ内に記録するようにした。これによってロックモード設定時に取得した画像ファイルを通常モード時に取得した画像ファイルと区別して記録することができる。
【００４０】
（５）制御装置１０４は、ロックモード設定中は、メモリカードに記録されている画像ファイルのうち、ロックモード用の専用フォルダに記録されている画像ファイルの削除のみを許可し、それ以外の画像ファイルは禁止するようにした。これによって、ロックモード設定中に第三者が所有者が撮影した画像を誤って削除することを防ぐことができる。
【００４１】
―第２の実施の形態―
上述した第１の実施の形態では、制御装置１０４は、カメラ１００のモードをロックモードに変更した後は、使用者によって操作部材１０１が操作されてカメラ１００の設定を変更するための操作が行われた場合に、見かけ上は設定の変更を受け付けるが、実際にはカメラ１００の設定を変更しないようにする例について説明した。
【００４２】
これに対して、第２の実施の形態では、御装置１０４は、カメラ１００のモードをロックモードに変更した後も通常モード時と同様に、使用者によって操作部材１０１が操作されてカメラ１００の設定を変更するための操作が行われた場合には、その操作内容に基づいて実際にカメラ１００の設定も変更する。この場合、制御装置１０４は、第１の実施の形態と同様に、ロックモードへの変更に先立って、そのときの設定内容に関する設定情報をデータ化してフラッシュメモリ内に退避しておき、ロックモードが解除されたときに、その退避データに基づいて設定を元に戻す。
【００４３】
なお、第２の実施の形態においても、第１の実施の形態と同様に、制御装置１０４は、撮影による画像ファイルの保存先をロックモード用に作成した専用フォルダ内に限定し、再生画像、削除画像、およびフォーマットの対象を上記専用フォルダ内の画像ファイルに限定する。また、専用フォルダへの記録可能枚数や撮影時のフラッシュ発光の可否は、所有者による設定内容に従うようにする。
【００４４】
これによって、所有者は、第三者に使用感や操作感を試す機会を与えた上で、ロックモードが解除されたときには、ロックモードへの移行前の設定状態でカメラ１００を使用することができる。
【００４５】
なお、第２の実施の形態においては、図１に示したブロック図は、第１の実施の形態と同様のため、説明を省略する。また、図２に示したフローチャートについては、第１の実施の形態との相違点を中心に説明する。
【００４６】
第２の実施の形態では、ステップＳ３０において、制御装置１０４は、ロックモード設定時の処理を実行する。すなわち、本実施の形態では、制御装置１０４は、ロックモードが解除されるまでの間、使用者による操作部材１０１の操作は受け付け、その操作内容に基づいてカメラ１００の設定を変更する。また、撮影による画像ファイルの保存先をロックモード用に作成した専用フォルダ内に限定し、再生画像、削除画像、およびフォーマットの対象を上記専用フォルダ内の画像ファイルに限定する。また、専用フォルダへの記録可能枚数や撮影時のフラッシュ発光の可否は、所有者による設定内容に従う。
【００４７】
また、ステップＳ５０では、制御装置１０４は、ロックモードへの移行前にフラッシュメモリに退避しておいたデータを読み出して、現在の設定値を退避データに基づく設定値に置き換えることによって、ロックモード設定中の設定変更および見かけ上の変更をキャンセルして、処理を終了する。
【００４８】
以上説明した第２の実施の形態によれば、第１の実施の形態における作用効果に加えて、以下のような効果を得ることができる。
【００４９】
制御装置１０４は、所有者からの指示に基づいてカメラ１００のモードをロックモードに設定する。制御装置１０４は、ロックモードに設定されている間は、使用者による操作部材１０１の操作に基づいてモニタ１０６の表示、およびカメラ１００の設定を変更する。そして、制御装置１０４は、ロックモードの解除時に、カメラ１００の設定をロックモード設定前の設定に戻すようにした。これによって、所有者は、第三者に使用感や操作感を試す機会を与えることができ、ロックモード設定中に第三者によってカメラ１００の設定が変更された場合でも、ロックモード解除後は、ロックモード設定前の設定状態でカメラ１００を使用することができる。
【００５０】
―変形例―
なお、上述した実施の形態のカメラは、以下のように変形することもできる。
（１）上述した第１および第２の実施の形態では、使用者は、操作部材１０１に含まれるロック設定／解除ボタンを操作することにより、ロックモードへの移行、および解除を切り替えることができる例について説明した。しかしながら、使用者は、ロック設定／解除ボタンではなく、モニタ１０６に含まれる背面モニタに表示されるメニュー上でロックモードへの移行、および解除を切り替えられるようにしてもよい。
【００５１】
（２）上述した第１および第２の実施の形態では、カメラ１００の所有者は、ロックモード設定時の画像の撮影可能枚数や撮影時のフラッシュ発光の可否をあらかじめ設定できるようにし、制御装置１０４は、ロックモード設定中は、上記使用者による設定内容に従って処理を行う例について説明した。しかしながら、ロックモード設定中は、使用者による撮影およびフラッシュ発光を禁止するようにしてもよい。この場合、制御装置１０４は、ロックモード設定中にはレリーズボタンを無効することによって撮影を禁止するようにしてもよく、あるいはレリーズボタンを有効にしてレリーズ操作は受け付けるが、撮影結果を背面モニタに表示するのみで画像ファイルの生成およびメモリカードへの画像ファイルの記録は行わないようにしてもよい。これによって、ロックモード設定中に第三者によって撮影が行われてメモリカードの容量が圧迫されてしまうことを防ぐことができる。
【００５２】
（３）あるいは、ロックモード設定時の画像の撮影可能枚数をカメラ１００や撮影時のフラッシュ発光の可否を使用者に設定させずに、カメラ１００の工場出荷時からあらかじめ設定しておくようにしてもよい。例えば、ロックモード設定時の画像の撮影可能枚数を１枚、撮影時はフラッシュ発光不可とあらかじめ設定しておくことによって、ロックモード設定時の画像の撮影可能枚数や撮影時のフラッシュ発光の可否を制限するようにしてもよい。これによって、カメラ１００の所有者の手を煩わせずにロックモード設定時の画像の撮影可能枚数や撮影時のフラッシュ発光の可否を設定することができる。
【００５３】
（４）上述した実施の形態では、制御装置１０４は、ロックモード設定中に撮影が行われた場合には、ロックモード用の専用フォルダ内に画像ファイルを記録することにより、通常モード時に撮影した画像ファイルとロックモード時に撮影した画像ファイルとを区別して記録する例について説明した。しかしながら、制御装置１０４は、ロックモード設定中に撮影した画像ファイルには、そのヘッダ部に識別情報、例えばフラグなどを記録することによって、通常モード時に撮影した画像ファイルとロックモード時に撮影した画像ファイルとを区別するようにしてもよい。この場合、制御装置１０４は、ロックモード設定中は、ヘッダ部に識別情報が記録されている画像ファイルのみを再生対象および削除対象とすればよい。
【００５４】
（５）上述した第１および第２の実施の形態では、制御装置１０４は、所有者によってカメラ１００のモードがロックモードに変更されたときに、モードを変更するのに先立って、そのときのモニタ１０６の表示内容や種々の設定情報をデータ化してフラッシュメモリ内に退避しておき、ロックモードが解除されたときに、現在の設定値を退避データに基づく設定値に置き換えることによって、ロックモード終了後に自動的に元の設定を復元する例について説明した。しかしながら、制御装置１０４は、ロックモード設定中の使用者による表示内容変更履歴や設定変更履歴をとって、その履歴データをフラッシュメモリに記録しておき、ロックモード終了時には、上記履歴データに基づいて表示内容や設定変更内容を元に戻すようにしてもよい。
【００５５】
なお、本発明の特徴的な機能を損なわない限り、本発明は、上述した実施の形態における構成に何ら限定されない。また、上述の実施の形態と複数の変形例を組み合わせた構成としてもよい。
【図面の簡単な説明】
【００５６】
【図１】カメラ１００の一実施の形態の構成を示すブロック図である。
【図２】カメラ１００の処理を示すフローチャート図である。
【符号の説明】
【００５７】
１００  カメラ、１０１  操作部材、１０２  レンズ、１０３  撮像素子、１０４  制御装置、１０５  メモリカードスロット、１０６  モニタ
【図１】
2010062714.tif 000003
【図２】
2010062714.tif 000004